(57)【要約】【課題】送信制御部と送信高周波部が相互にデータ通信を行っている状態で運用されるが、アナログ用に手動設定された送信高周波部に誤って送信制御部からデジタル変調された信号が供給されると、違法な電波が発射され、問題となる。【解決手段】送信制御部と送信高周波部との間で変調方式に関するコード情報を送信する伝送装置において、上記送信制御部は、ＱＡＭ方式処理部と、ＯＦＤＭ方式処理部と、アナログ方式処理部および上記ＱＡＭ方式処理部、上記ＯＦＤＭ方式処理部およびアナログ方式処理部を制御する第１の制御部を有し、上記送信高周波部は、上記送信制御部から送信されるコード情報を検出する検出部と増幅部および上記増幅部を制御する第２の制御部を有し、上記第２の制御部は、上記検出部からのコード情報に基づいて上記増幅部の送信電力を制御するように構成される。【選択図】図１
2008028805.tif 000002
【特許請求の範囲】
【請求項１】
送信制御部と送信高周波部を有し、上記送信制御部と上記送信高周波部との間で少なくとも変調方式に関するコード情報を送信する伝送装置において、上記送信制御部は、少なくともＱＡＭ方式処理部と、ＯＦＤＭ方式処理部と、アナログ方式処理部および上記ＱＡＭ方式処理部、上記ＯＦＤＭ方式処理部およびアナログ方式処理部を制御する第１の制御部を有し、上記送信高周波部は、上記送信制御部から送信されるコード情報を検出する検出部と増幅部および上記増幅部を制御する第２の制御部を有し、上記第２の制御部は、上記検出部からのコード情報に基づいて上記増幅部の送信電力を制御することを特徴とする伝送装置。
【請求項２】
請求項１記載の伝送装置において、上記送信高周波部は、更に、アナログ信号の入力部と、上記増幅部の出力電力を手動で調節する操作部を有し、上記操作部が上記アナログ信号に対応する出力電力に上記増幅部を設定している場合であっても、上記第２の制御部は、上記検出部からのコード情報に基づいて上記増幅部の送信電力を制御することを特徴とする伝送装置。
【請求項３】
請求項２記載の伝送装置において、上記第２の制御部は、上記増幅部の手動設定の有無および上記検出部からのコード情報の有無とを対応付けた選択テーブルを設け、上記第２の制御部は、上記選択テーブルに基づいて上記増幅部の送信電力を制御することを特徴とする伝送装置。
【発明の詳細な説明】
【技術分野】
【０００１】
本発明は、伝送装置に関し、特に、伝送装置における不要電波の送信のない伝送装置に関するものである。
【背景技術】
【０００２】
従来の単一モードの伝送装置の一例を図６を用いて説明する。図６は、従来の単一モードの伝送装置、例えば、ＦＰＵ（Field Pickup Unit）の概略構成を示すブロック図である。送信側装置は、送信制御部６０１と送信高周波部６０２とから構成されており、受信側装置は、受信高周波部６０３と受信制御部６０４とから構成されている。送信制御部６０１は、入力信号である映像信号、音声信号を所定の変調モード、例えば、６４ＱＡＭ（Quadrature Amplitude Modulation）方式で変調し、ＩＦ（Intermediate Frequency：中間周波数）帯に周波数変換する。送信高周波部６０２は、ＩＦ信号（ＩＦ帯に周波数変換された信号）をＲＦ（Radio Frequency：無線周波数）信号まで周波数変換し、電力増幅して送信する。受信高周波部６０３は、ＲＦ信号を受信後、低雑音増幅、受信レベル制御を行い、周波数変換することでＩＦ信号に変換する。そして、受信制御部６０４は、ＩＦ信号を所定の復調モード、例えば、６４ＱＡＭ方式で復調することにより得られた映像信号、音声信号を出力する。そして、送信制御部６０１の表示部（図示せず。）には、例えば、伝送ビットレート、変調方式、使用するチャンネルを、受信制御部６０４の表示部（図示せず。）には、例えば、伝送ビットレート、復調方式、使用するチャンネルを表示するように構成されている。
【０００３】
而して、上述の送信制御部６０１および受信制御部６０４の伝送ビットレート、変調方式、使用するチャンネル等（以下、これらを伝送装置のパラメータと称する。）は、前もって送信制御部６０１および受信制御部６０４のＣＰＵにプリセットされており、プリセットされたパラメータ以外のパラメータで伝送装置を動作させることはできなかった。しかしながら伝送の多様化、伝送路で発生するフェージングやマルチパス等の影響による信号の減衰、劣化に対して種々の伝送方式あるいは種々のパラメータの設定が必要となり、これらに対応できる伝送装置が実用化され始めている。
【０００４】
上述の種々の伝送方式を切替える、あるいは種々のパラメータの設定をする伝送装置では、送信制御部と送信高周波部にて送信制御部の変調方式あるいは送信高周波部の動作状態の情報を、映像や音声が送信されるＩＦ（１３０ＭＨｚ）伝送に重畳して送信されている。例えば、送信制御部から送信高周波部へは、１０．７ＭＨｚの周波数で、また、送信高周波部から送信制御部へは、１２．６ＭＨｚの周波数で相互に通信が行われている。更に、送信高周波部にはアナログ変調機能が搭載されており、手動設定で、送信高周波部単体でアナログ変調された信号を送信できる機能も有している。
【０００５】
このように送信制御部と送信高周波部とは、相互に変調方式や動作状態の情報を伝送しているが、アナログ伝送の場合には、送信高周波部単体で手動設定ができ、アナログ変調された信号を送信できる機能を有している。そのため手動設定された送信高周波部に誤って送信制御部から、例えば、ＱＡＭやＯＦＤＭ（Orthogonal Frequency Division Multiplex）変調されたデジタル信号が供給されると、違法な電波が発射され、大きな問題となり、このような違法電波の発射をなくす伝送装置の実現が望まれている。
【０００６】
【特許文献１】特に発見されていない。
【発明の開示】
【発明が解決しようとする課題】
【０００７】
上述のように従来の伝送装置では、送信制御部と送信高周波部が相互にデータ通信を行っている状態で運用されるが、手動設定された送信高周波部に誤って送信制御部からＱＡＭやＯＦＤＭ変調された信号が供給されると、違法な電波が発射され、大きな問題となる。
【０００８】
本発明の目的は、違法な電波の発射を抑制する伝送装置を提供することである。
【０００９】
本発明の他の目的は送信制御部からのデータ通信の有無を判定し、誤動作のない伝送装置を提供することである。
【００１０】
本発明の更に他の目的は、送信制御部の動作状態に合わせて送信高周波部を動作させる伝送装置を提供することである。
【課題を解決するための手段】
【００１１】
本発明は、送信制御部と送信高周波部を有し、上記送信制御部と上記送信高周波部との間で少なくとも変調方式に関するコード情報を送信する伝送装置において、上記送信制御部は、少なくともＱＡＭ方式処理部と、ＯＦＤＭ方式処理部と、アナログ方式処理部および上記ＱＡＭ方式処理部、上記ＯＦＤＭ方式処理部およびアナログ方式処理部を制御する第１の制御部を有し、上記送信高周波部は、上記送信制御部から送信されるコード情報を検出する検出部と増幅部および上記増幅部を制御する第２の制御部を有し、上記第２の制御部は、上記検出部からのコード情報に基づいて上記増幅部の送信電力を制御するように構成される。
【００１２】
また、本発明の伝送装置において、上記送信高周波部は、更に、アナログ信号の入力部と、上記増幅部の出力電力を手動で調節する操作部を有し、上記操作部が上記アナログ信号に対応する出力電力に上記増幅部を設定している場合であっても、上記第２の制御部は、上記検出部からのコード情報に基づいて上記増幅部の送信電力を制御するように構成される。
【００１３】
また、本発明の伝送装置において、上記第２の制御部は、上記増幅部の手動設定の有無および上記検出部からのコード情報の有無とを対応付けた選択テーブルを設け、上記第２の制御部は、上記選択テーブルに基づいて上記増幅部の送信電力を制御するように構成される。
【発明の効果】
【００１４】
以上説明したように、本発明によれば、送信制御部からのデータ通信の有無を判定し、誤動作のない伝送装置が実現できる。また、送信制御部の動作状態に合わせて送信高周波部を動作させるので、違法な電波の発射を抑制する伝送装置を実現できる特徴がある。更に、送信制御部と送信高周波部の設定が異なった場合であっても、送信制御部の設定状態に合わせて送信高周波部が動作する特徴がある。
【発明を実施するための最良の形態】
【００１５】
本発明の一実施例を図１〜図４を用いて説明する。図１は、本発明の一実施例の概略構成のブロック図を示し、図２は、図１に示す送信高周波部の具体的な構成のブロック図を、また、図３は、図１に示す送信制御部の具体的な構成のブロック図を示している。図１において、１０１は、送信制御部、１０２は、送信高周波部である。送信制御部１０１には、ＳＤＩ（Serial Digital Interface）信号（デジタル映像信号）と、アナログ音声信号およびアナログ映像信号が供給され、送信制御部で適宜信号処理がなされた後、送信高周波部１０２で増幅され、高周波信号に変換され、ＲＦ（Radio Frequency）信号として受信側に送信される。また、送信高周波部１０２には、映像信号および音声信号を含むアナログ信号が直接供給され、このアナログ信号が送信高周波部１０２でＲＦ信号に変換され送信される機能も有している。なお、図１に示す伝送装置では、アナログ信号を送信制御部１０１を介さないで直接送信できるために、ＱＡＭやＯＦＤＭ変調しない映像信号を送信する場合には、送信制御部１０１のような大掛かりな装置を使用せずに送信高周波部１０２だけで映像信号が送信できるので、ＦＰＵ装置としては使い勝手に優れている。
【００１６】
ここで、送信制御部１０１について図３を用いて詳細に説明する。図３において、入力端子３０１は、ＳＤＩ信号入力端子、入力端子３０２は、アナログ音声信号入力端子、入力端子３０３は、アナログ映像信号入力端子である。まず、操作者が操作パネル３０４を操作することにより、設定された伝送モード、例えば、変調方式および伝送パラメータをＣＰＵ３０５（第１の制御部という。）に指示する。ＣＰＵ３０５は、指示された伝送モード、伝送パラメータで無線伝送を行うように各切替部、各信号処理部を制御する。図３に示す送信制御部では、シングルＱＡＭ方式、ＯＦＤＭ方式、アナログ変調方式の伝送モードを有し、操作パネル３０４の伝送モードの選択に基づいてアナログ／デジタル選択スイッチ３０６、３０７、シングルＱＡＭ／ＯＦＤＭ選択スイッチ３０８、３０９を制御して選択された伝送モードに応じた信号処理を行わせるように信号経路を切替える。
【００１７】
例えば、入力端子３０１に入力されたＳＤＩ信号および入力端子３０２に入力されたアナログ音声信号は、ＭＰＥＧ（Moving Picture Experts Group）エンコーダ３１２に供給される。そして、ＭＰＥＧエンコーダ３１２で生成されたＴＳ（Transport Stream）形式のデジタル信号ＤがシングルＱＡＭ方式処理部３１０、ＯＦＤＭ方式処理部３１１に入力され、アナログ方式処理部３１３には、アナログ映像信号とアナログ音声信号が入力される。なお、ＴＳ形式のデジタル信号Ｄは、ＳＤＩ（Serial Digital Interface）信号（デジタル映像信号）と、オーディオＡ／Ｄ変換部３１４でＡ／Ｄ変換された音声信号とがＭＰＥＧエンコーダ３１２で、例えば、ＭＰＥＧ−２符号化方式で符号化され、多重されることにより生成される。そして、シングルＱＡＭ方式処理部３１０、ＯＦＤＭ方式処理部３１１からの出力信号は、Ｄ／Ａコンバータ３１５でＤ／Ａ変換されると共に局部発振器３１６からの出力信号と混合され、例えば、周波数１３０ＭＨｚのＩＦ信号に変換され、切替部３０７を介して送信高周波部１０２に供給される。
【００１８】
一方、アナログ方式処理部３１３からの出力信号は、直接、切替部３０７を介して送信高周波部１０２に出力される。なお、アナログ方式処理部３１３からの出力信号も、例えば周波数１３０ＭＨｚのＩＦ信号である。送信高周波部１０２では、ＩＦ信号をＲＦ信号に周波数変換して、送信する。
【００１９】
更に詳述すると、操作者により操作パネル３０４で設定された伝送パラメータに従って、ＣＰＵ３０５（第１の制御部）は、シングルＱＡＭ方式処理部３１０、ＯＦＤＭ方式処理部３１１、アナログ方式処理部３１３のいずれかを選択し、制御すると共に、シングルＱＡＭ方式処理部３１０、ＯＦＤＭ方式処理部３１１、アナログ方式処理部３１３の動作状態を監視する。この監視により、図６に示される受信側装置との通信不良状態、各信号処理部（シングルＱＡＭ方式処理部３１０、ＯＦＤＭ方式処理部３１１、アナログ方式処理部３１３）内のユニットの不具合状態が発生する毎にＣＰＵ３０５は、如何なるエラー、アラームが発生したかを記憶部に記憶する。そして、操作者が操作パネル３０４を操作したときにエラー内容、アラーム内容を操作パネル３０４に表示させる。３１７は、電源回路を示す。なお、シングルＱＡＭ方式処理部３１０、ＯＦＤＭ方式処理部３１１、アナログ方式処理部３１３の構成については、従来から良く知られている構成であるので、詳細な説明は省略する。
【００２０】
次に送信高周波部１０２の具体的構成について図２を用いて説明する。図２において、２０１は、送信制御部１０１の切替部３０７からの信号が印加される入力端子である。２０２は、図１で示される独立のアナログ信号が供給される入力端子である。２０３は、ＣＰＵ（第２の制御部という。）、２０４は、送信制御部１０１から送信される信号形態を検出する信号検出部であり、詳細については後述する。２０５は、送信高周波部の各種設定を行うための操作表示部、２０６は、端子ａおよび端子ｂを切替えるための切替部、２０７は、送信制御部１０１からの信号を増幅する増幅部、２０８は、高周波信号に変換するＲＦ部である。そして、ＲＦ部の出力は、図６に示される受信側に送信される。
【００２１】
ここで、端子ａおよび端子ｂの切替部２０６は、操作表示部２０５の操作により手動で切替えることもできる。即ち、入力端子２０１に送信制御部１０１から信号が供給されている場合は、端子ａに接続され、入力端子２０２にアナログ信号が供給される場合、端子ｂに接続される。
【００２２】
次に、本発明の動作について説明する。まず、送信制御部１０１の各信号処理部（シングルＱＡＭ方式処理部３１０、ＯＦＤＭ方式処理部３１１、アナログ方式処理部３１３）は、ＣＰＵ３０５を操作者が操作パネル３０４を操作することにより指示し、指示された伝送モード、例えば、変調方式および伝送パラメータをＣＰＵ３０５に指示する。これらの伝送モードは、それぞれＣＰＵ３０５の記憶部（図示せず。）に記憶されている。
【００２３】
ＣＰＵ３０５の記憶部には、例えば、シングルＱＡＭ方式、ＯＦＤＭ方式あるいはアナログ方式の場合について、図５に示す各操作パネルのプリセット調整ツマミで設定される変調方式や伝送パラメータが記憶されている。そして、プリセット調整ツマミで設定された変調方式や伝送パラメータが記憶部から読み出され、操作パネルの表示部に表示されるため、操作者は、表示部を見ながら伝送パラメータの設定を行う。
【００２４】
図５は、操作パネル３０４の一実施例を示す。この操作パネルには、表示部５０１と、表示部５０１の表示項目を切り換えるＵＰスイッチ５０２及びＤＯＷＮスイッチ５０３と、プリセット調整ツマミ５０４、シングルＱＡＭ方式、ＯＦＤＭ方式あるいはアナログ方式等の変調方式の切替ツマミ５０５およびシングルＱＡＭ方式、ＯＦＤＭ方式あるいはアナログ方式の出力電力を切替えるツマミ５０６等複数の調整ツマミを有している。そして、伝送パラメータ、変調方式の設定時において、複数の調整ツマミを操作すると、その操作に応じて記憶部から変調方式、伝送パラメータが読み出され、表示部５０１に変調方式、伝送パラメータが表示される。従って、操作者は、表示部５０１を見ながら複数の調整ツマミを操作して、伝送パラメータ、変調方式の設定を行うことができる。
【００２５】
ここで、送信電力について説明する。シングルＱＡＭ方式、ＯＦＤＭ方式あるいはアナログ方式の出力電力を切替えるツマミ５０６は、表１に示すように各変調方式について、出力電力が定められている。
【００２６】
【表１】
2008028805.tif 000003
例えば、アナログ出力の場合は、最大５Ｗ，最低０．１Ｗで、５Ｗ、１Ｗ、０．１Ｗの３段階の出力切替えができるように構成されている。また、ＱＡＭあるいはＯＦＤＭ変調は、最大１Ｗ、最低０．１Ｗで１Ｗ、０．２Ｗ、０．１Ｗの三段階の出力切替えができるように構成されている。なお、表１に示す送信電力は、システム構成および電波法等の関係により適宜設定されることは言うまでもない。
【００２７】
さて、上述のようにして変調方式、伝送パラメータ、例えば、送信電力が設定されると送信制御部１０１は、設定された変調方式、伝送パラメータで信号を送信高周波部に送信する。これについて以下説明する。先に説明したように送信制御部と送信高周波部にて送信制御部の変調方式あるいは送信高周波部の動作状態の情報（以下これらをモード情報と総称することにする。）を、映像や音声が送信されるＩＦ（１３０ＭＨｚ）伝送に重畳して送信されており、例えば、送信制御部から送信高周波部へは、１０．７ＭＨｚの周波数で、また、送信高周波部から送信制御部へは、１２．６ＭＨｚの周波数で相互に通信が行われていることを説明した。この様子を図４を用いて説明する。図４は、送信制御部と送信高周波部の間の伝送路を伝送する周波数の関係を示す図であり、横軸は、伝送周波数、縦軸は、信号レベルを示している。そして、４０１は、映像や音声が送信されるＩＦ（１３０ＭＨｚ）伝送信号を示し、４０２は、送信制御部から送信高周波部へ送信されるモード情報を示し、１０．７ＭＨｚの周波数で送信される。また、４０３は、送信高周波部から送信制御部へ送信されるモード情報を示し、１２．６ＭＨｚの周波数で送信されている。即ち、送信制御部と送信高周波部は、相互にモード情報を用いて通信している。
【００２８】
そして、このモード情報は、例えば、表２に示されるようなコード化された情報である。
【００２９】
【表２】
2008028805.tif 000004
表２において、例えば、アナログは、コード００１、ＱＡＭは、コード０１０、ＯＦＤＭは、コード０１１と言うように定められ、また、送信出力は、５Ｗは、コード１００、１Ｗは、コード１０１、０．２Ｗは、コード１１０、０．１Ｗは、コード１１１というように定められている。これらのコード情報は、ＣＰＵ２０３（第２の制御部）およびＣＰＵ３０５（第１の制御部）の記憶部（図示せず。）に記憶されている。なお、これらコード情報は、これらに限られるものではなく、システム構成に応じて適宜変更することができる。そして、送信制御部１０１がシングルＱＡＭ方式で、１Ｗの送信電力で送信する場合、送信制御部１０１は、１３０ＭＨｚのＱＡＭ変調の映像信号に、例えば、ＱＡＭ変調を示す「コード情報０１０」および送信出力１Ｗを示す「コード情報１０１」を１０．７ＭＨｚの周波数で送信高周波部１０２に送信する。これらコード情報は、例えば、シングルＱＡＭ方式処理部３１０、ＯＦＤＭ方式処理部３１１、アナログ方式処理部３１３でそれぞれ信号処理され、出力されるときにＣＰＵ３０５からの制御信号に基づいて付与することができる。
【００３０】
送信制御部１０１から送られてくる、例えば、コード情報を付加されたＱＡＭ変調信号は、入力端子２０１から送信高周波部１０２の信号検出部２０４に入力される。信号検出部２０４では、送られてきた信号からコード情報を検出し、検出信号をＣＰＵ２０３に供給する。ＣＰＵ２０３では、検出信号から表２に示されるコード情報から、送られてくる信号の変調方式および送信電力を検出し、増幅部２０７およびＲＦ部２０８を制御する。例えば、上記のように「コード情報０１０」および「コード情報１０１」を検出すると、ＣＰＵ２０３は、内部の記憶部に記憶している表２に示されるコード情報テーブルに基づいて、送信されている信号は、ＱＡＭ変調の映像信号であり、送信出力１Ｗと認識し、増幅部２０７を制御してＱＡＭ変調の映像信号の増幅と送信電力１Ｗの出力となるように制御する。これによってＲＦ部２０８から送信制御部１０１の操作パネル３０４で設定された条件の出力が送信される。
【００３１】
さて、先にも説明したようにアナログ信号を直接送信する場合、図２に示す入力端子２０２に供給し、操作表示部２０５を操作して増幅部２０７の送信出力を５Ｗに設定した場合、増幅部２０７は、５Ｗのアナログ信号を出力することになる。なお、この場合、送信制御部１０１からの信号は、送信されない状態である。
【００３２】
このように手動で設定されたままで、送信制御部１０１からＱＡＭあるいはＯＦＤＭ変調信号のようなデジタル信号が増幅部２０７に供給された場合の問題点について説明する。まず、電波法では、アナログ信号の最大出力電力は、５Ｗ、ＱＡＭ変調方式では、隣接チャネルがある場合の最大出力電力は、０．５Ｗ、隣接チャネルがない場合の最大出力電力は、１．５Ｗ、また、ＯＦＤＭ変調方式では、隣接チャネルがある場合の最大出力電力は、０．８Ｗ、隣接チャネルがない場合の最大出力電力は、４Ｗと定められている。そして、先に説明したように手動で操作表示部２０５を操作して増幅部２０７の送信出力を５Ｗに設定し、増幅部２０７の出力を５Ｗにしたままの状態で、例えば、送信制御部１０１からＱＡＭあるいはＯＦＤＭ変調信号のようなデジタル信号が増幅部２０７に供給された場合、違法な電波が出力されることとなる。即ち、ＱＡＭあるいはＯＦＤＭ変調信号のようなデジタル信号が送信出力５Ｗの増幅部２０７に供給されると、デジタル信号５Ｗが出力されるが、デジタル信号５Ｗは、アナログ信号に換算すると５０Ｗの出力となり、電波法で定められている最大５Ｗの送信出力を大幅に超えることとなる。
【００３３】
従って、本発明では、このような問題が発生しないようにＣＰＵ２０３（第２の制御部）に表３に示すような機能を持たせ、違法な送信電力が送信されないようにしている。
【００３４】
【表３】
2008028805.tif 000005
表３において、操作表示部２０５で手動設定あり（Ｙ１）の場合で、送信制御部出力あり（Ｘ１）の場合、送信制御部出力Ａを選択する。即ち、ＣＰＵ２０３が信号検出部２０４の信号を検出した場合は、端子ａに接続し、信号検出部２０４から検出されるコード情報に基づいて増幅部２０７の増幅、送信電力を制御する。また、操作表示部２０５で手動設定あり（Ｙ１）の場合で、送信制御部出力なし（Ｘ２）の場合、手動設定出力Ｂを選択する。即ち、ＣＰＵ２０３が端子ｂに接続し、アナログ信号端子２０２からのアナログ信号を選択する。
【００３５】
操作表示部２０５で手動設定なし（Ｙ２）の場合で、送信制御部出力あり（Ｘ１）の場合、送信制御部出力Ｃを選択する。即ち、ＣＰＵ２０３が信号検出部２０４の信号を検出した場合は、端子ａに接続し、信号検出部２０４から検出されるコード情報に基づいて増幅部２０７の増幅、送信電力を制御する。また、操作表示部２０５で手動設定なし（Ｙ２）の場合で、送信制御部出力なし（Ｘ２）の場合は、いずれの出力も選択されないというようにＣＰＵ２０３は、動作する。
【００３６】
以上説明したように送信高周波部のＣＰＵ２０３が送信制御部からの信号を検出し、この検出に基づいて送信高周波部の増幅部の設定を制御するように構成したので、従来のように手動で増幅部の設定を行ったとしても、不要な電波の送信が阻止されるので、違法電波の送信を阻止できる伝送装置が実現できる。また、上記実施例では、ＱＡＭ変調方式やＯＦＤＭ変調方式とアナログ方式の混在した伝送装置について説明したが、これらに限定されるものではなく、デジタル方式とアナログ方式の混在した伝送装置にも適応できることはいうまでもない。
【００３７】
以上、本発明について詳細に説明したが、本発明は、ここに記載された伝送装置の実施例に限定されるものではなく、上記以外の伝送装置に広く適応することが出来ることは、いうまでも無い。
【図面の簡単な説明】
【００３８】
【図１】本発明の一実施例のブロック図を示す。
【図２】図１で示す本発明の一実施例の送信高周波部の具体的な構成のブロック図を示す。
【図３】図１で示す本発明の一実施例の送信制御部の具体的な構成のブロック図を示す。
【図４】本発明の伝送信号の周波数の関係を説明するための図である。
【図５】本発明の一実施例の操作パネルの構成を説明するための図である。
【図６】従来の伝送装置の一例の概略構成のブロック図を示す。
【符号の説明】
【００３９】
１０１、６０１：送信制御部、１０２、６０２：送信高周波部、２０１、２０２、３０１、３０２、３０３：入力端子、２０３、３０５：ＣＰＵ、２０４：信号検出部、２０５：操作表示部、２０６、３０６、３０７、３０８、３０９：切替部、２０７：増幅部、２０８：ＲＦ部、３０４：操作パネル、３１０：シングルＱＡＭ方式処理部、３１１：ＯＦＤＭ方式処理部、３１２：ＭＰＥＧエンコーダ、３１３：アナログ方式処理部、３１４：オーデイオＡ／Ｄ、３１５：Ｄ／Ａコンバータ、３１６：局部発振器、３１７：電源回路、５０１：表示部、５０２：ＵＰスイッチ、５０３：ＤＯＷＮスイッチ、５０４：プリセット調整ツマミ、５０５：伝送モード調節ツマミ、５０６：電力切替ツマミ、６０３：受信高周波部、６０４：受信制御部。
【図１】
2008028805.tif 000006
【図２】
2008028805.tif 000007
【図３】
2008028805.tif 000008
【図４】
2008028805.tif 000009
【図５】
2008028805.tif 000010
【図６】
2008028805.tif 000011